(57)【要約】【課題】設置現場の状況に応じて吐水管の回転範囲を調節でき、しかもその調節の作業を設置現場で水栓装置を分解することなく行うことのできる回転式の吐水管を備えた水栓装置を提供する。【解決手段】吐水管１６の基端部２０を水栓本体１５にて回転可能に支持するとともに吐水管１６を回転規制するようになした水栓装置１０において、水栓本体１５の外周面に複数の当り部４０Ａ〜４４Ａ及び４０Ｂ〜４４Ｂを設ける一方、吐水管１６の基端部２０にストッパ突起４８を設け、その突出量を変えることで吐水管１６の回転規制の位置を調節可能とする。【選択図】        図３
2008285904.tif 000002
【特許請求の範囲】
【請求項１】
先端部に吐水口を有する吐水管の円筒状の基端部を該吐水管に対する支持部に外嵌し、該支持部にて該基端部を回転可能に支持するようになし、該支持部の外周面には該吐水管の回転方向に離隔して一対の当り部を設ける一方、前記吐水管の基端部にはストッパ突起を径方向に貫通する状態に設け、該吐水管の回転の際に該ストッパ突起を前記当り部に当接させることによって該吐水管の回転を規制するようになした水栓装置において
前記支持部の外周面には、径方向の異なった位置に複数の前記当り部を、前記吐水管の回転方向の異なった位置に且つ径方向内側に位置する当り部ほど、径方向外側の当り部よりも該吐水管の回転範囲の中央側に位置するように設け、
且つ前記ストッパ突起は、前記吐水管の回転の際に先端部が前記径方向に位置の異なった複数の前記当り部の何れかに対して当接可能、他の当り部に対して当接不能となる複数のストッパ作用位置の何れかとなるように、前記吐水管の径方向内方への突出量が調節可能となしてあり、該ストッパ突起の該複数のストッパ作用位置の何れかへの切替えによって、吐水管の回転規制の位置を調節可能となしてあることを特徴とする水栓装置。
【請求項２】
請求項１において、前記ストッパ突起が雄ねじ部材となしてあり、前記吐水管に設けた雌ねじ部を有する取付孔に該ストッパ突起を螺合により取り付けるようになしてあることを特徴とする水栓装置。
【請求項３】
先端部に吐水口を有する吐水管の円筒状の基端部を該吐水管に対する支持部に外嵌し、該支持部にて該基端部を回転可能に支持するようになし、該支持部の外周面には該吐水管の回転方向に離隔して一対の当り部を設ける一方、前記吐水管の基端部にはストッパ突起を径方向に貫通する状態に設けて、該吐水管の回転の際に該ストッパ突起を前記当り部に当接させることによって該吐水管の回転を規制するようになした水栓装置において
前記吐水管の基端部には、前記ストッパ突起を取付可能な複数の取付孔を設けて、各取付孔に前記ストッパ突起を取り付け、ストッパ作用させるべきストッパ突起を複数から選択して該選択したストッパ突起を、先端部が前記当り部に対して当接可能なストッパ作用位置まで突出し状態としておくか
又は複数から選択した前記取付孔に前記ストッパ突起を前記ストッパ作用位置まで突出状態に取り付けて、他の取付孔には該ストッパ突起を非取付状態となし、以って前記吐水管の回転規制の位置を調節可能となしてあることを特徴とする水栓装置。
【請求項４】
請求項３において、前記取付孔が３以上の複数設けてあるとともに、２つの該取付孔に前記ストッパ突起が前記ストッパ作用位置まで突出状態に設けてあることを特徴とする水栓装置。
【請求項５】
請求項３，４の何れかにおいて、前記取付孔が雌ねじ部を有するものとなしてあり、前記ストッパ突起が雄ねじ部材となしてあることを特徴とする水栓装置。
【発明の詳細な説明】
【技術分野】
【０００１】
この発明は水栓装置に関し、詳しくは先端部に吐水口を有する吐水管に対する回転規制の構造に特徴を有するものに関する。
【背景技術】
【０００２】
従来、先端部に吐水口を有する吐水管の円筒状の基端部を吐水管に対する支持部に外嵌し、その支持部にて吐水管の基端部を回転可能に支持するようになした水栓装置が広く用いられている。
このような水栓装置において、支持部の外周面に、吐水管の回転方向に離隔して一対の当り部を設ける一方、吐水管の基端部にストッパ突起を径方向に貫通する状態に設け、吐水管の回転の際にストッパ突起を当り部に当接させることによって、吐水管の回転を規制するようになした水栓装置が従来公知である。
例えば下記特許文献１にこの種の水栓装置が開示されている。
図１３はその一例を示している。
【０００３】
同図において、２００は先端部に吐水口を有する吐水管で、２０２は吐水管２００を支持する支持部（ここでは水栓本体）である。
２０４は吐水管２００における円筒状の基端部で、吐水管２００はこの基端部２０４が支持部２０２に外嵌され、かかる支持部２０２にて回転可能に支持されている。
【０００４】
支持部２０２には、図１３（Ａ）に示しているように吐水管２００の回転方向に離隔した位置に当り部２０６Ａ，２０６Ｂが設けられており、一方吐水管２００の基端部２０４には、ストッパ突起２０８が基端部２０４を径方向に貫通し、先端部が基端部２０４の内方に突出する状態で設けられている。
【０００５】
この水栓装置では、吐水管２００を図中反時計方向に回転させると、ストッパ突起２０８が当り部２０６Ａに当ってそこで吐水管２００が回転規制され、また逆方向である図中時計方向に吐水管２００を回転させると、ストッパ突起２０８が当り部２０６Ｂに当ってそこで吐水管２００が回転規制される。
【０００６】
しかしながらこの水栓装置の場合、吐水管２００の回転範囲が一定であり、水栓装置の設置現場の状況に応じて、その回転範囲を変えることができないといった問題がある。
例えば水栓装置を流し台に取り付けるに際して、流し台のサイズや形状によって、或いはその取付位置がシンクの中央位置である場合と、右側に偏った位置である場合、或いは左側に偏った位置である場合とで、吐水管２００の適正な回転範囲が異なってくる。
また流し台が壁に面して設置されておらず、キッチンの中央に独立して設置されているような場合では、吐水管の必要な回転範囲も自ずと異なったものとなってくる。
【０００７】
しかるに図１３に示す水栓装置では、そうした設置現場の状況に応じて吐水管２００の回転範囲を適正な回転範囲に調節することができない。
この場合水栓装置の使い勝手が悪くなり、また場合によって吐水管先端部の吐水口がシンクから外れて、シンク外に誤って吐水されてしまうといったことも起り得る。
従って水栓装置としては、設置現場の状況に応じて吐水管の回転範囲を調節できるようにしておくことが望ましい。
【０００８】
更に吐水管の回転範囲を調節するに際し、設置現場において吐水管を含む水栓装置を分解する（バラす）ことなく、吐水管の回転範囲を調節できることが望ましい。
設置現場において吐水管の回転範囲を調節するために、吐水管を含む水栓装置を分解してしまうと、再び水栓装置を組んだときに元の適正な組付状態に戻らないまま水栓が設置されてしまう恐れがあり、或いは分解や再組付けの際にシール部材が損傷してシールの信頼性が損なわれてしまう恐れも生ずる。
【０００９】
吐水管の回転規制の構造については、下記特許文献２にも開示されている。しかしながらこの特許文献２に開示のものも、吐水管の回転範囲を水栓装置の設置現場の状況に応じて調節することのできないものである。
【００１０】
他方、特許文献３，特許文献４には吐水管の回転範囲を調節可能となしたものが開示されているが、これら特許文献３，特許文献４に開示のものでは、吐水管の回転範囲を変更し調節するためには水栓装置を各部材に一旦分解しなければならない問題がある。
【００１１】
【特許文献１】実公平６−３０９１９号公報
【特許文献２】特開平１１−５０４９８号公報
【特許文献３】特開平１０−８８６３３号公報
【特許文献４】特開平９−１３４５０号公報
【発明の開示】
【発明が解決しようとする課題】
【００１２】
本発明は以上のような事情を背景とし、水栓装置の設置現場の状況に応じて吐水管の回転範囲を調節でき、しかもその調節の作業を設置現場で且つ水栓装置を分解することなく行うことのできる回転式の吐水管を備えた水栓装置を提供することを目的としてなされたものである。
【課題を解決するための手段】
【００１３】
而して請求項１のものは、先端部に吐水口を有する吐水管の円筒状の基端部を該吐水管に対する支持部に外嵌し、該支持部にて該基端部を回転可能に支持するようになし、該支持部の外周面には該吐水管の回転方向に離隔して一対の当り部を設ける一方、前記吐水管の基端部にはストッパ突起を径方向に貫通する状態に設け、該吐水管の回転の際に該ストッパ突起を前記当り部に当接させることによって該吐水管の回転を規制するようになした水栓装置において、前記支持部の外周面には、径方向の異なった位置に複数の前記当り部を、前記吐水管の回転方向の異なった位置に且つ径方向内側に位置する当り部ほど、径方向外側の当り部よりも該吐水管の回転範囲の中央側に位置するように設け、且つ前記ストッパ突起は、前記吐水管の回転の際に先端部が前記径方向に位置の異なった複数の前記当り部の何れかに対して当接可能、他の当り部に対して当接不能となる複数のストッパ作用位置の何れかとなるように、前記吐水管の径方向内方への突出量が調節可能となしてあり、該ストッパ突起の該複数のストッパ作用位置の何れかへの切替えによって、吐水管の回転規制の位置を調節可能となしてあることを特徴とする。
【００１４】
請求項２のものは、請求項１において、前記ストッパ突起が雄ねじ部材となしてあり、前記吐水管に設けた雌ねじ部を有する取付孔に該ストッパ突起を螺合により取り付けるようになしてあることを特徴とする。
【００１５】
請求項３のものは、先端部に吐水口を有する吐水管の円筒状の基端部を該吐水管に対する支持部に外嵌し、該支持部にて該基端部を回転可能に支持するようになし、該支持部の外周面には該吐水管の回転方向に離隔して一対の当り部を設ける一方、前記吐水管の基端部にはストッパ突起を径方向に貫通する状態に設けて、該吐水管の回転の際に該ストッパ突起を前記当り部に当接させることによって該吐水管の回転を規制するようになした水栓装置において、前記吐水管の基端部には、前記ストッパ突起を取付可能な複数の取付孔を設けて、各取付孔に前記ストッパ突起を取り付け、ストッパ作用させるべきストッパ突起を複数から選択して該選択したストッパ突起を、先端部が前記当り部に対して当接可能なストッパ作用位置まで突出し状態としておくか、又は複数から選択した前記取付孔に前記ストッパ突起を前記ストッパ作用位置まで突出状態に取り付けて、他の取付孔には該ストッパ突起を非取付状態となし、以って前記吐水管の回転規制の位置を調節可能となしてあることを特徴とする。
【００１６】
請求項４のものは、請求項３において、前記取付孔が３以上の複数設けてあるとともに、２つの該取付孔に前記ストッパ突起が前記ストッパ作用位置まで突出状態に設けてあることを特徴とする。
【００１７】
請求項５のものは、請求項３，４の何れかにおいて、前記取付孔が雌ねじ部を有するものとなしてあり、前記ストッパ突起が雄ねじ部材となしてあることを特徴とする。
【発明の作用・効果】
【００１８】
以上のように請求項１のものは、吐水管の基端部を回転可能に支持する支持部の外周面の径方向の異なった位置に、複数の当り部を吐水管の回転方向の異なった位置に、且つ径方向内側に位置するものほど径方向外側のものよりも吐水管の回転範囲の中央側に位置するように設けて、それらに対し吐水管側のストッパ突起を当接させるようになし、一方ストッパ突起は、先端部が径方向に位置の異なった上記複数の当り部の何れかに対して当接可能、他の当り部に対して当接不能となる複数のストッパ作用位置の何れかとなるように吐水管の径方向内方への突出量を調節可能となし、ストッパ突起の複数のストッパ作用位置への何れかへの切替えによって、吐水管の回転規制の位置を調節可能となしたものである。
【００１９】
かかる請求項１の水栓装置にあっては、吐水管の円筒状をなす基端部に設けたストッパ突起の径方向内方への突出量を変えることで吐水管の回転規制の位置、即ち回転角度を変更することができ、設置現場の状況に応じて吐水管の回転範囲を適正な回転範囲となすことができる。
【００２０】
しかも請求項１によれば、吐水管の回転範囲を調節するに際し、単に吐水管基端部の外面からストッパ突起を操作して径方向内方への突出量を調節するだけで良く、それ故この請求項１によれば、吐水管を含む水栓装置を分解することなく、設置現場において吐水管の回転範囲を適正な回転範囲に調節することができる。
【００２１】
従って水栓装置を分解することによって、再びこれを組み付けたときに元の適正な状態に組み付けられないまま水栓装置が設置されてしまったり、或いは分解や再組付けに際してシール部材が損傷してしまい、シールの信頼性が損なわれるといった問題を解消することができる。
【００２２】
この場合において、上記ストッパ突起を雄ねじ部材となし、これを吐水管の基端部に設けた雌ねじ部を有する取付孔に螺合により取り付けるようになしておくことができる（請求項２）。
このようにすればストッパ突起の径方向位置、詳しくは吐水管内方へのストッパ突起の突出量を、吐水管の基端部の外部から簡単に調節することができる。
【００２３】
次に請求項３は、吐水管の基端部にストッパ突起を取付可能な複数の取付孔を設けて、各取付孔にストッパ突起を取り付け、そしてストッパ作用させるべきストッパ突起を複数から選択して、その選択したストッパ突起を、先端部が当り部に対して当接可能なストッパ作用位置まで突出状態としておくか、又は複数から選択した取付孔にストッパ突起をストッパ作用位置まで突出し状態に取り付けて、他の取付孔にはストッパ突起を非取付状態となすもので、この請求項３によっても吐水管の回転範囲を調節することができる。
【００２４】
またこの請求項３においても、吐水管の外部からストッパ突起をストッパ作用位置まで突き出したり、非ストッパ作用位置に引き込んだり、或いは取付孔に対しストッパ突起を着脱することで吐水管の回転範囲を調節でき、従ってこの請求項３によれば、設置現場において吐水管を含む水栓装置を分解することなく吐水管の回転範囲の調節作業を行うことができる。
【００２５】
この請求項３においては、取付孔を３以上の複数設けておき、そして２つの取付孔にストッパ突起をストッパ作用位置まで突出し状態に設けておくことができる（請求項４）。
かかる請求項４では、ストッパ作用位置まで突出し状態に設けた２つのストッパ突起を、対応する相手側の支持部の外周面の当り部に当接させることで吐水管の回転範囲を規制でき、且つストッパ作用する２つのストッパ突起の吐水管の回転方向位置を変えることで吐水管の回転範囲を変更でき、回転範囲の調節の自由度が高い利点が得られる。
これら請求項３，請求項４においても、上記取付孔を雌ねじ部を有する取付孔となし、ストッパ突起を雄ねじ部材となしておくことができる（請求項５）。
【発明を実施するための最良の形態】
【００２６】
次に本発明の実施形態を図面に基づいて詳しく説明する。
図１において、１０はカウンター（取付基体）１２に対し取付孔１４において取り付けられた水栓装置で、１５は水栓装置１０における水栓本体（支持部）、１７は水栓本体１５上部に設けられたシングルレバー操作部、１６は水栓本体１５から延び出した、先端部に吐水口１８を有する吐水管である。
吐水管１６は円筒状の基端部２０を有しており、この基端部２０において水栓本体１５により回転可能に支持されている。
【００２７】
図２に水栓装置１０の内部構造が具体的に示してある。
同図において２２は取付装置で、水栓本体１５はこの取付装置２２にてカウンター１２に取り付けられている。
そしてこの水栓本体１５に対して、詳しくはその底部３８に対して水，湯を供給するサプライ管２４が取付孔１４を貫通して接続されている。
尚２３は、水栓本体１５と取付装置２２との締結個所を外側から覆って隠蔽する化粧リングである。
【００２８】
吐水管１６の基端部２０は円筒状をなしていて、この基端部２０が水栓本体１５に外嵌され、基端部２０が水栓本体１５により回転可能に支持されている。
水栓本体１５には、固定弁体２６と、その上面を摺動する可動弁体２８とを有する混合弁３０が内蔵されており、そしてその可動弁体２８に対して上記のシングルレバー操作部１７が連結軸３２を介して作動的に連結されている。
【００２９】
このシングルレバー式の湯水混合の水栓装置１０では、シングルレバー操作部１７を上下に回動操作することで、可動弁体２８の移動により吐止水と水量調節とが行われ、また左右回動操作することで水と湯との混合比率が変化せしめられて混合水温度が調節される。
この混合水は混合室３４から流出口３６を経て図中下向きに流出し、更に吐水管１６内部を流通して、先端部の吐水口１８から吐出される。
【００３０】
図３に示しているように水栓本体１５の外周面、詳しくは底部３８の外周面には、径方向の異なった位置に、吐水管１６を回転規制するための複数の当り部が設けられている。
具体的には、径方向の最も内側位置の当り部として一対の第１の当り部４０Ａ，４０Ｂが、更にその外側位置に一対の第２の当り部４２Ａ，４２Ｂが、更にその外側位置に一対の第３の当り部４４Ａ，４４Ｂが設けられている。
【００３１】
ここで各当り部４０Ａ，４０Ｂ，４２Ａ，４２Ｂ，４４Ａ，４４Ｂは、何れも当り面が底部３８の軸心を中心とした放射方向の面となしてある。
これら３対の当り部４０Ａ及び４０Ｂ，４２Ａ及び４２Ｂ，４４Ａ及び４４Ｂは、それぞれ周方向の異なった位置に設けられている。
【００３２】
詳しくは、最も径方向内側の第１の当り部４０Ａ，４０Ｂは、吐水管１６における基端部２０の回転範囲の中央側に、また最も径方向外側の第３の当り部４４Ａ，４４Ｂは、基端部２０の回転範囲の最も端位置に、更にそれらの間の第２の当り部４２Ａ，４２Ｂは、それらの中間に位置するように設けられている。
尚この例では吐水管１６、即ちその基端部２０の回転範囲の中央位置を基準として、３対の当り部における各一方の当り部４０Ａ，４２Ａ，４４Ａに対し、他方の当り部４０Ｂ，４２Ｂ，４４Ｂが回転方向の対称位置にそれぞれ配置されている。
【００３３】
一方、吐水管１６の基端部２０には、径方向に貫通の取付孔４６が設けられ、そこに雄ねじ部材からなるストッパ突起４８が取り付けられている。
ここで取付孔４６は雌ねじ部５０と、これよりも大径をなす凹部５２とを有しており、そして雌ねじ部５０にストッパ突起４８の雄ねじ部５４が螺合され、また凹部５２にストッパ突起４８の頭部５６が収容可能となしてある。
尚５８は、雄ねじ部材からなるストッパ突起４８を隠蔽するキャップである。
【００３４】
ここでストッパ突起４８は、最も奥深くまでねじ込んだときに、その先端部が径方向の最も内側位置にある当り部４０Ａ，４０Ｂに当接可能、即ち当り部４０Ａ，４０Ｂに対し基端部２０の回転方向に対向する状態となる。
【００３５】
図４〜図６は本実施形態の作用を表わしている。
先ず図４（Ａ）は、吐水管１６の回転範囲を最も狭く規制する場合で、このときにはストッパ突起４８は、その先端部が径方向の最も内側位置にある第１の当り部４０Ａ，４０Ｂに対し当接可能とされ、他の当り部４２Ａ及び４２Ｂ，４４Ａ，４４Ｂに対しては当接不能とされる。
【００３６】
この状態で、図３に示す位置から吐水管１６を図中反時計方向に回転させると、吐水管１６が角度θ１回転したところでストッパ突起４８が当り部４０Ｂに当接し、そこで吐水管１６の回転が規制される。
また図３に示す位置から吐水管１６を反時計方向に回転させると、吐水管１６がθ１だけ反時計方向に回転したところで、ストッパ突起４８が当り部４０Ａに当接して、そこで吐水管１６の回転が規制される。
【００３７】
一方、図５に示しているようにストッパ突起４８を図３に示す状態から一定量径方向外側にねじ戻し、その先端部を中間の当り部４２Ａ，４２Ｂに対し当接可能な状態に位置させておくと（このときにはストッパ突起４８の先端部は、当り部４０Ａ及び４０Ｂ，４４Ａ及び４４Ｂに対して当接不能な状態である）、吐水管１６を図５（Ａ）に示すように時計方向に回転させると、θ１よりも大きい角度θ２だけ吐水管１６が回転したところで、ストッパ突起４８が当り部４２Ｂに当接し、そこにおいて吐水管１６の更なる回転が規制される。
また逆方向である反時計方向に吐水管１６を回転させると、中央位置から角度θ２だけ吐水管１６が回転したところで、ストッパ突起４８が当り部４２Ａに当接し、更なる吐水管１６の回転が規制される。
【００３８】
図６に示しているようにストッパ突起４８を更にねじ戻して引き込み、その先端部が径方向の最も外側位置の当り部４４Ａ，４４Ｂに当接可能な状態とした上で（このときにはストッパ突起４８は当り部４０Ａ及び４０Ｂ，４２Ａ及び４２Ｂに対して当接不能な状態である）、吐水管１６を図６（Ａ）に示しているように時計方向に回転させると、吐水管１６がより大きい角度θ３だけ回転したところで、或いはまた（Ｂ）に示しているように吐水管１６を反時計方向により大きな角度θ３だけ回転させたところで、ストッパ突起４８がそれぞれ当り部４４Ｂ又は４４Ａに当接し、吐水管１６のそれ以上の回転が規制される。
【００３９】
以上のように本実施形態によれば、ストッパ突起４８の径方向内方へのねじ込量或いは径方向外方の引込量を、吐水管１６の基端部２０の外側から調節するだけで、簡単に吐水管１６の回転規制の位置を変更し調節することができる。
【００４０】
尚、ここでは当り部４０Ａ及び４０Ｂ，４２Ａ及び４２Ｂ，４４Ａ及び４４Ｂを径方向に３段に段違いで設けているが、これを２段に或いは４段以上の複数段に設けておくこともできるし、或いはまた当り部４０Ａ，４０Ｂ，４２Ａ，４２Ｂ，４４Ａ，４４Ｂの周方向位置を様々に異ならせることができ、これに応じて吐水管１６の回転規制の位置を様々に変化させることができる。即ち吐水管１６の回転範囲を様々に調節することが可能となる。
【００４１】
本実施形態によれば、吐水管１６の回転範囲を調節するに際し、単に吐水管１６の基端部２０の外側からストッパ突起４８を操作して、径方向内方への突出量を調節するだけで良いため、吐水管１６を含む水栓装置１０を分解することなく、設置現場において吐水管１６の回転範囲を適正な回転範囲に調節することができる。
【００４２】
従って水栓装置１０を分解することによって、再びこれを組み付けたときに元の適正な状態に組み付けられないまま水栓装置１０が設置されてしまったり、或いは分解や再組付けに際してシール部材が損傷してしまい、シールの信頼性が損なわれるといった問題を生じない。
【００４３】
尚、上例では１つのストッパ突起４８を径方向へのねじ込量、即ち突出し量を異ならせることで、吐水管１６の回転の規制位置を変化させるようにしているが、図７に示しているように長さの異なった複数種類の雄ねじ部材からなるストッパ突起６０-１，６０-２，６０-３を用意しておいて、水栓装置１０の設置現場において必要とされる吐水管１６の回転範囲に応じて、何れかのストッパ突起６０-１，６０-２，６０-３を選択して用い、吐水管１６の回転範囲を調節するようになすことも可能である。
【００４４】
ここで各ストッパ突起６０-１，６０-２，６０-３は雄ねじ部５４，大径の頭部５６を備えている点で上記と同様であるが、これらのものは取付孔４６における雌ねじ部５０から突き出した部分が非ねじ部６２とされている。但しこれらについても雄ねじ部となしておくことも可能である。
【００４５】
このようなストッパ突起を用いた場合、図５，図６に示すストッパ作用状態において、ストッパ突起６０-１，６０-２，６０-３が吐水管１６における基端部２０の外面から突出するのを回避できる利点が得られる。
【００４６】
次に図８は本発明の他の実施形態を示している。
この例は、吐水管１６における基端部２０に複数（ここでは３つ）の取付孔６４-１，６４-２，６４-３を設け、それぞれに雄ねじ部材からなるストッパ突起６６-１，６６-２，６６-３を取り付けて、それらを水栓本体１５側の当り部４４Ａ，４４Ｂに当接させるようになした例である。
【００４７】
この例では、図８（Ａ）に示す状態で、吐水管１６を図９（Ａ）に示しているように図中時計方向に回転させると、吐水管１６が角度θ４だけ回転したところで、図中最も右側位置にあるストッパ突起６６-３が、当り部４４Ｂに当接して、そこで吐水管１６の回転が規制される。
【００４８】
また図９（Ｂ）に示しているように、吐水管１６を逆方向である反時計方向に回転させると、角度θ４だけ吐水管１６が回転したところで、今度は図中最も左側位置にあるストッパ突起６６-１が当り部４４Ａに当接して、そこで吐水管１６の更なる回転が規制される。
即ちこの例では、３つのストッパ突起６６-１，６６-２，６６-３のうち、ストッパ作用させるべきものとして左側と右側の２つのストッパ突起６６-１，６６-３が選択され、それらのストッパ作用により吐水管１６の回転が規制される。
【００４９】
このとき、真中位置のストッパ突起６６-２は何等ストッパ作用を行わない。ただ単に取付孔６４-２に取り付けられ、そこに保持されているに過ぎない。
従ってこの例においては、ストッパ突起６６-２を取付孔６４-２から抜き出しておいても良い。
【００５０】
一方図１０の例は、図中最も左側位置にあるストッパ突起６６-１を取付孔６４-１から抜き出し、残り２つのストッパ突起、即ち図８（Ａ）中真中のストッパ突起６６-２と、右側のストッパ突起６６-３とを、ストッパ作用させるべきストッパ突起として選択し、それらを当り部４４Ａ，４４Ｂに当接させることで、吐水管１６の回転に対する規制位置を変化させるようになした例である。
【００５１】
具体的にはこの図１０に示す例では、図１１（Ａ）に示しているように吐水管１６を時計方向に回転させると、吐水管１６が角度θ４だけ回転したところで、図中右側のストッパ突起６６-３が当り部４４Ｂに当接して、そこで吐水管１６の更なる回転が規制される。
【００５２】
他方、図１１（Ｂ）に示しているように吐水管１６を反時計方向に回転させると、吐水管１６がθ４よりも大きい角度θ５だけ回転したところで、ストッパ突起６６-２が当り部４４Ａに当接して、そこで吐水管１６の更なる回転が規制される。
【００５３】
尚この例では、図中左側のストッパ突起６６-１を抜き出して、残りの２つのストッパ突起６６-２，６６-３にてストッパ作用させるようになしているが、これと異なって図中右側のストッパ突起６６-３を抜き出して、残り２つのストッパ突起６６-１，６６-２にてストッパ作用を行わせるようになすことも可能である。
【００５４】
この場合には、吐水管１６を時計方向に角度θ５だけ回転させたところで、ストッパ突起６６-２が当り部４４Ｂに当接して、更なる吐水管１６の回転が規制され、また逆方向である反時計方向に吐水管１６を回転させると、吐水管１６が角度θ４だけ回転したところで、ストッパ突起６６-１が当り部４４Ａに当接して、そこで更なる吐水管１６の回転が規制される。
【００５５】
尚、図１０の例では最も左側の位置にあるストッパ突起６６-１を抜き出すものとして説明したが、図１２に示しているように、ストッパ突起６６-１を完全に抜き出さないで、ストッパ作用を行わない、即ちストッパ非作用状態にストッパ突起６６-１を引き込めておき、そのことによって残り２つのストッパ突起６６-２，６６-３にてストッパ作用を行わせるようになすことも可能である。
この点は図中右側のストッパ突起６６-３についても同様である。
【００５６】
この実施形態においても、設置現場において吐水管１６を含む水栓装置１０を分解することなく吐水管１６の回転範囲の調節作業を行うことができる。
またストッパ作用させるべき２つのストッパ突起を３つから任意の組合せで選択することで吐水管１６の回転範囲を様々に調節でき、調節の自由度が高い利点を有する。
【００５７】
尚、この例では取付孔を３つ設けた例であるが、取付孔を２つだけ設けて、何れかの取付孔に取り付けたストッパ突起にてストッパ作用させること、或いは逆に取付孔を４つ以上の複数設けて、そこから選択した取付孔にストッパ突起をストッパ作用状態に設けておくといったことも可能である。
【００５８】
以上本発明の実施形態を詳述したが、これらはあくまで一例示である。
例えば上記実施形態では何れも雄ねじ部材にてストッパ突起を構成しているが、場合によって雄ねじ部を有しない軸状の部材、その他にてストッパ突起を構成することも可能であるし、また上記実施形態では水栓本体自体が吐水管の支持部をなしているが、水栓本体以外の部材にて支持部を構成することも可能である等、本発明はその趣旨を逸脱しない範囲において種々変更を加えた形態で構成可能である。
【図面の簡単な説明】
【００５９】
【図１】本発明の一実施形態の水栓装置をカウンターへの取付状態で示した全体図である。
【図２】同実施形態の水栓装置の内部構造を示す図である。
【図３】同実施形態の要部の図である。
【図４】同実施形態の作用説明図である。
【図５】図４とは別の作用説明図である。
【図６】図５とは更に別の作用説明図である。
【図７】本発明の他の実施形態の図である。
【図８】本発明の更に他の実施形態の図である。
【図９】図８の実施形態の作用説明図である。
【図１０】本発明の更に他の実施形態の図である。
【図１１】図１０の実施形態の作用説明図である。
【図１２】本発明の更に他の実施形態の図である。
【図１３】従来の水栓装置の一例を示す図である。
【符号の説明】
【００６０】
１０  水栓装置
１５  水栓本体（支持部）
１６  吐水管
１８  吐水口
２０  基端部
４０Ａ，４０Ｂ  第１の当り部
４２Ａ，４２Ｂ  第２の当り部
４４Ａ，４４Ｂ  第３の当り部
４８，６０-１，６０-２，６０-３，６６-１，６６-２，６６-３  ストッパ突起
【図１】
2008285904.tif 000003
【図２】
2008285904.tif 000004
【図３】
2008285904.tif 000005
【図４】
2008285904.tif 000006
【図５】
2008285904.tif 000007
【図６】
2008285904.tif 000008
【図７】
2008285904.tif 000009
【図８】
2008285904.tif 000010
【図９】
2008285904.tif 000011
【図１０】
2008285904.tif 000012
【図１１】
2008285904.tif 000013
【図１２】
2008285904.tif 000014
【図１３】
2008285904.tif 000015